(57)【要約】      （修正有）【課題】未使用時における撮影板および圧迫板の表面温度を所定温度で維持し、医療機器の温度変化に対する負荷を低減する。【解決手段】断熱材料からなる被覆部材１０と、被覆部材内部の温度を測定する温度測定器具１８と、被覆部材内の温度が所定温度となるように、被覆部材の周辺空気を加熱または冷却する空調部材（ペルチェ素子）１７と、加熱または冷却した空気を被覆部材内に送風する送風機１６とを有する。または、空調部材により被覆部材内部空気の加熱または冷却を行い、送風機により内部空気の循環を行う。【選択図】図２
2020198934.tif 000002
【特許請求の範囲】
【請求項１】
マンモグラフィ装置の未使用時における撮影板および圧迫板の表面温度を所定温度で維持するマンモグラフィ装置用保温器具であって、
前記撮影板および前記圧迫板を被覆する断熱材料からなる被覆部材と、
前記圧迫板および前記撮影板を被覆したときの、前記被覆部材内部の温度を測定する温度測定器具と、
前記温度測定器具により測定された温度が前記所定温度と異なる場合に、前記被覆部材内の温度が所定温度となるように、前記被覆部材の周辺空気を加熱または冷却する空調部材と、
前記空調部材により加熱または冷却された周辺空気を送風する送風機と、を有するマンモグラフィ装置用保温器具。
【請求項２】
マンモグラフィ装置の未使用時における撮影板および圧迫板の表面温度を所定温度で維持するマンモグラフィ装置用保温器具であって、
前記撮影板および前記圧迫板を被覆する断熱材料からなる被覆部材と、
前記圧迫板および前記撮影板を被覆したときの、前記被覆部材内部の温度を測定する温度測定器具と、
前記温度測定器具により測定された温度が前記所定温度と異なる場合に、前記被覆部材内の温度が所定温度となるように、前記被覆部材の内部に存在する空気を加熱または冷却する空調部材と、
前記被覆部材の内部に、被覆部材外部の空気を送風する送風機と、を有するマンモグラフィ装置用保温器具。
【請求項３】
前記空調部材は、ペルチェ素子を有する請求項１または請求項２に記載のマンモグラフィ装置用保温器具。
【発明の詳細な説明】
【技術分野】
【０００１】
本発明は、マンモグラフィ装置用保温装置、具体的には、未使用時における撮影板および圧迫板の表面温度を所定温度で維持する外付け用のマンモグラフィ装置用保温器具に関する。
【背景技術】
【０００２】
マンモグラフィ装置は、乳腺画像検査で用いられる標準画像診断装置である。乳腺画像検査では、マンモグラフィ装置によって撮影されたマンモグラフィ画像が用いられる。
乳腺画像検査は、例えば、無症候女性が年に１度、又は数年に１度受診することを推奨されている乳がん検診において実施される。読影者は、撮影されたマンモグラフィ画像を読影することで、例えば、微細石灰化、構築の乱れ、腫瘤、及び局所的非対象陰影（ＦＡＤ：Focal Asymmetric Density）等がないかを確認する。
また、乳腺画像検査は、乳がんの徴候のある女性に対する経過観察においても実施される。読影者は、診察の際に撮影されるマンモグラフィ画像を読影することで、例えば、病変及び関心領域（ＲＯＩ：Region of Interest）を検査する。
【０００３】
マンモグラフィ画像はポジショニングにより変化することが一般的に知られている。ポジショニングは、例えば、マンモグラフィ装置に設けられる圧迫板による乳房の挟み方、つまり乳腺の伸ばし方に影響を与える。つまり、マンモグラフィ画像が変化し、病変及びＲＯＩの位置が、過去に撮像されたマンモグラフィ画像に含まれる病変及びＲＯＩの位置とは異なるものとなってしまう。病変及びＲＯＩの位置が変化していると、過去に撮影されたマンモグラフィ画像からの経時変化を確認する際に、ポジショニングの違いを考慮する必要があり、読影効率が下がることになる。
このポジショニングに関する問題については各種文献（特許文献１、２）等から様々な提案がなされている。
【先行技術文献】
【特許文献】
【０００４】
【特許文献１】特開２０１７−１１３５４０号公報
【特許文献２】特表２０１３−５３２００１号公報
【発明の概要】
【発明が解決しようとする課題】
【０００５】
しかしながら、たとえマンモグラフィのポジショニングについて課題解決を図ったとしても、外部環境変化に対する機器の影響については考慮されていない。つまり、医療機器にあっては、機器の立ち上げ（ウォーミングアップ時）から全患者の診療終了後、機器の電源を落とす段階までの間は常に同じ気温等で行われることが求められ、病院施設では、空調制御設備が完備された部屋にマンモグラフィ装置を含む医療機器が固定されていることが一般的である。
【０００６】
これに対し、健康診断（いわゆる検診）では、検診車両にマンモグラフィ装置などの医療機器を搭載して、病院外部の検診会場にて検査を行う場合には、検診車両の扉の開閉により室内温度が変化し、医療機器に負荷を与えるだけでなく、検査に影響を及ぼす可能性は否定できない。しかし、現実はたとえ冬期であっても、ウォーミングアップ時から機器の電源を落とす段階までの間は検査を行っていないときであっても放置されており、医療機器の室内温度の変化にさらされているだけである。
【０００７】
本発明は、車載マンモグラフィ装置のように室温の経時変化が大きい環境にあっても、最低限、撮影板および圧迫板の表面温度を所定温度（室温、２５℃前後）で維持することができれば、医療機器に与える負荷を低減することができることを知見し、本発明を完成させた。
本発明は、未使用時における撮影板および圧迫板の表面温度を所定温度で維持する外付け用のマンモグラフィ装置用保温器具を提供することを目的とする。
【課題を解決するための手段】
【０００８】
請求項１に記載の発明は、マンモグラフィ装置の未使用時における撮影板および圧迫板の表面温度を所定温度で維持するマンモグラフィ装置用保温器具であって、前記撮影板および前記圧迫板を被覆する断熱材料からなる被覆部材と、前記圧迫板および前記撮影板を被覆したときの、前記被覆部材内部の温度を測定する温度測定器具と、前記温度測定器具により測定された温度が前記所定温度と異なる場合に、前記被覆部材内の温度が所定温度となるように、前記被覆部材の周辺空気を加熱または冷却する空調部材と、前記空調部材により加熱または冷却された周辺空気を送風する送風機と、を有するマンモグラフィ装置用保温器具である。
請求項２に記載の発明は、マンモグラフィ装置の未使用時における撮影板および圧迫板の表面温度を所定温度で維持するマンモグラフィ装置用保温器具であって、前記撮影板および前記圧迫板を被覆する断熱材料からなる被覆部材と、前記圧迫板および前記撮影板を被覆したときの、前記被覆部材内部の温度を測定する温度測定器具と、前記温度測定器具により測定された温度が前記所定温度と異なる場合に、前記被覆部材内の温度が所定温度となるように、前記被覆部材の内部に存在する空気を加熱または冷却する空調部材と、前記被覆部材の内部に、被覆部材外部の空気を送風する送風機と、を有するマンモグラフィ装置用保温器具である。
【０００９】
請求項１、２に記載の発明にあっては、断熱材料からなる内部空間を有する被覆部材により、撮影板と圧迫板とを被覆する。つまり、被覆部材の内部空間に撮影板と圧迫板とが収納されるような状態にて撮影板と圧迫板とを被覆する。このとき、撮影板の表面温度と圧迫板の表面温度とが所定温度（たとえば、室温（２５℃）前後）となるように、内部空間の温度を温度測定器具により測定し、内部空間の温度が高ければ、空調部材により周辺空気の冷却を行い、送風機を用いて、被覆部材の内部に冷却された空気を送風するか、被覆部材内部空間の空気を冷却するとともに、外部空気を用いて内部空間の空気を攪拌して均一化する。内部空間の温度が低ければ、空調部材により周辺空気の加熱を行い、送風機を用いて被覆部材の内部に加熱された空気を送風するか、被覆部材内部空間の空気を加熱するとともに、外部空気を用いて内部空間の空気を攪拌して均一化する。このようにすることにより、撮影板と圧迫板との表面温度のばらつきが小さくなり、医療機器の外部温度の負荷の影響が小さくなる。
【００１０】
被覆部材を構成する材料については、断熱材料であれば特に問わないが、発泡スチロール等、発泡性高分子材料であれば、安価に製造することが可能であるため有利である。
また、空調部材の種類についても特に問わず、ヒータと冷媒とを組み合わせた構成であってもよいが、ペルチェ素子を用いた場合には、必要電力量が少なく、車載マンモグラフィ装置のように電源の確保が難しいものであっても、使用することが可能であるため有効である。
送風機についても、特に問わないが簡易のファンであってもよく、被覆部材の内部空間に送風することが可能な位置に、空調部材により加熱／冷却された空気を内部空間に送風できれば、送風形態は特に問わない。
【００１１】
請求項３に記載の発明は、前記空調部材は、ペルチェ素子を有する請求項１に記載のマンモグラフィ装置用保温器具である。
【００１２】
請求項３に記載の発明によれば、空調部材がペルチェ素子で構成されることにより、低電力量にて周辺空気の加熱／冷却が可能となる。これにより、車載マンモグラフィ装置のように電源の確保が難しいものであっても、使用することが可能である。
【発明の効果】
【００１３】
請求項１および請求項２に記載の発明にあっては、撮影板と圧迫板との表面温度のばらつきが小さくなり、医療機器の外部温度の負荷の影響を小さくすることができる。
特に、請求項３に記載の発明にあっては、空調部材がペルチェ素子で構成されることにより、低電力量にて周辺空気の加熱／冷却が可能となる。これにより、車載マンモグラフィ装置のように電源の確保が難しいものであっても、使用することが可能である。
【図面の簡単な説明】
【００１４】
【図１】本発明の実施例１に係るマンモグラフィ装置用保温装置の外観斜視図を示す。
【図２】本発明の実施例に係るマンモグラフィ装置用保温装置の使用状態を示す概略正面断面図である。
【図３】本発明の実施例２に係るマンモグラフィ装置用保温装置の使用状態を示す概略正面断面図である。
【発明を実施するための形態】
【００１５】
本発明の実施例に係るマンモグラフィ装置用保温装置について、図面に基づいて詳細に説明する。
【００１６】
（実施例１）
図１は、本発明の実施例１に係るマンモグラフィ装置用保温装置の外観斜視図である。図２は、本発明の実施例１に係るマンモグラフィ装置用保温装置の使用状態を示す概略正面断面図である。実施例１に係るマンモグラフィ装置用保存装置は、平面視して略矩形状の上面部と、平面視して略矩形状で、その一辺から伸びる平面視して略矩形の切り欠きが形成された底面部１０ｂとを有し、上面部の４辺のうち３辺を囲み、かつ底面部１０ｂのうち切り欠き１１を有する辺を除く３辺を囲むように上面部及び底面部１０ｂに固定された側面部とを有する被覆部材１０を有している。つまり、この被覆部材１０は平面視・側面視して矩形状の筒底を有する角筒の部材である。そして、被覆部材１０の開口部から筒底（筒底部１０ａ）に向かう平面視して矩形の切り欠き１１が被覆部材１０の底面部１０ｂに形成されている。被覆部材１０は、外部の温度環境に影響されないように断熱部材である発泡スチロール製である。被覆部材１０は、マンモグラフィ装置１００の撮影板１０１および圧迫板１０２を被覆することが可能となるように、被覆部材１０全体の大きさ、開口部の大きさ等が決定される。
切り欠き１１は、マンモグラフィ装置１００の撮影板１０１を固定する部材１０１ａと被覆部材１０とが衝突することなく、撮影板１０１と圧迫板１０２とが被覆部材１０に収納されるように形成されたものである。この切り欠き１１の大きさは、その目的を達成するために必要十分なものであればよい。
【００１７】
上記被覆部材１０の筒底部１０ａの略中央部分には、貫通孔が設けられ、被覆部材１０の外面であって貫通孔を覆うように略矩形状の送風機カバー１６ａが取り付けられている。この送風機カバー１６ａと筒底部１０ａとの間には送風機１６が設けられている。そして被覆部材１０の内面であって、貫通孔を覆うように略矩形状のペルチェ素子カバー１７ａが取り付けられ、ペルチェ素子カバー１７ａと筒底部１０ａとの間にペルチェ素子１７が設けられている。
送風機１６の大きさや出力については任意であり、実施例１では、小型（１０Ｗ程度）の送風機１６ａを用いている。出力が大きすぎると、マンモグラフィ装置用保温装置の重量が重くなるだけでなく、送風機１６による送風の影響により、撮影板１０１および圧迫板１０２とに影響を及ぼす可能性があるため、好ましくはない。
ペルチェ素子の大きさや出力についても任意であり、本実施例１では、小型のものを用いている。ペルチェ素子の大きさについては、ペルチェ素子カバー１７ａの大きさ、すなわち、筒底部１０ａの大きさに規制されるが、被覆部材１０の内部に送風可能となるようにペルチェ素子１７の大きさが規制される。また、ペルチェ素子１７の出力が大きすぎる場合には、温度制御が難しくなるため好ましくない。
つまり、本実施例１に係るマンモグラフィ装置用保存装置の送風機１６及びペルチェ素子１７の出力は小さなもので十分であるといえる。
【００１８】
被覆部材１０の内壁に、被覆部材１０の内部空気の温度を測定する温度センサ１８が取り付けられている。この温度センサ１８はケーブルを介して制御装置１９に接続されている。また、制御装置１９は、ケーブルを介して、送風機１６、ペルチェ素子１７に接続されている。
制御装置１９は、被覆部材とは別体で構成され、送風機１６、ペルチェ素子１７、温度センサ１８に電力の供給を行うだけでなく、温度センサ１８による温度センサ信号の受信、温度センサ信号に基づいて送風機１６、ペルチェ素子１７を制御する制御信号の発信を行う部材である。この制御装置１９は図示しない小型発電器（１００Ｗ）に接続されている。
【００１９】
このように構成された実施例１に係るマンモグラフィ装置用保温装置は、マンモグラフィ装置１００を使用するときには、不要なものであるために、任意の場所に置かれている。マンモグラフィ装置１００を使用しないとき、マンモグラフィ装置１００の撮影板１０１と圧迫板１０２との離間距離を最適な状態にセッティングした後、マンモグラフィ装置用保温装置の被覆部材１０に、撮影板１０１と圧迫板１０２とを被覆するように、被覆部材１０の内部に撮影板１０１と圧迫板１０２を挿入する。
その後、制御装置１９による送風機１６、ペルチェ素子１７、温度センサ１８の制御を行う。
撮影板の表面温度と圧迫板の表面温度とが室温（２５℃）前後となるように、内部空間の温度を冬期であれば２７℃、夏期であれば内部空間の温度を２３℃となるように設定温度を設定する。温度センサ１８は常時内部空間の温度を測定し、その測定結果を温度センサ信号として、制御装置１９に送信される。制御装置１９は、温度センサ信号を受信した後、温度センサ信号に基づいて内部温度を算出する。
内部温度が設定温度より高い場合、ペルチェ素子１７が冷媒として機能するように、ペルチェ素子１７に制御信号を送信するとともに、送風機に、送風を開始するように制御信号を送信する。ペルチェ素子１７、送風機１６は、制御信号を受信した後、制御信号に基づいて動作を行う。ペルチェ素子１７と送風機１６により、内部空間の温度が低下し、設定温度となった時点で、制御装置は、ペルチェ素子１７、送風機１６の動作を停止する信号を送信する。ペルチェ素子１７、送風機１６が動作を停止する信号を受信した後、そのときに行われていた動作を停止する。
逆に、内部温度が設定温度より低い場合、ペルチェ素子１７がヒータとして機能するように、ペルチェ素子１７に制御信号を送信するとともに、送風機に、送風を開始するように制御信号を送信する。ペルチェ素子１７、送風機１６は、制御信号を受信した後、制御信号に基づいて動作を行う。ペルチェ素子１７と送風機１６により、内部空間の温度が上昇し、設定温度となった時点で、制御装置は、ペルチェ素子１７、送風機１６の動作を停止する信号を送信する。ペルチェ素子１７、送風機１６が動作を停止する信号を受信した後、そのときに行われていた動作を停止する。
【００２０】
このようにすることにより、マンモグラフィ装置１００の撮影板１０１及び圧迫板１０２の表面温度はほぼ一定となり、医療機器の外部温度の負荷の影響を小さくすることができる。
【００２１】
（実施例２）
図３は、本発明の実施例２に係るマンモグラフィ装置用保温装置の使用状態を示す概略正面断面図である。実施例２に係るマンモグラフィ装置用保存装置は、ペルチェ素子カバーを用いず、ペルチェ素子２７が被覆部材２０の内面であって、底面部２０ｂに、切り欠き２１と重ならないように設けられている。
その他の構成は実施例１と同じであるため省略する。
内部温度が設定温度より高い場合、ペルチェ素子２７が冷媒として機能するように、ペルチェ素子２７に制御信号を送信するとともに、送風機に、送風を開始するように制御信号を送信する。ペルチェ素子２７、送風機２６は、制御信号を受信した後、制御信号に基づいて動作を行う。ペルチェ素子２７により内部空気が冷却され、送風機２６による送風により、内部空気が循環され、内部空気全体の温度が低下し、設定温度となった時点で、制御装置は、ペルチェ素子２７の動作を停止する信号を送信する。ペルチェ素子２７が動作を停止する信号を受信した後、そのときに行われていた動作を停止する。送風機２６による送風は、被覆部材２０内部の場所による内部空気の温度のばらつきを抑制するために、継続したままとする。
内部温度が設定温度より低い場合、ペルチェ素子２７がヒータとして機能するように、ペルチェ素子２７に制御信号を送信するとともに、送風機に、送風を開始するように制御信号を送信する。ペルチェ素子２７、送風機２６は、制御信号を受信した後、制御信号に基づいて動作を行う。ペルチェ素子２７により内部空気が加熱され、送風機１６による送風により、内部空気が循環され、内部空気全体の温度が上昇し、設定温度となった時点で、制御装置は、ペルチェ素子２７の動作を停止する信号を送信する。ペルチェ素子２７が動作を停止する信号を受信した後、そのときに行われていた動作を停止する。送風機２６による送風は、被覆部材２０内部の場所による内部空気の温度のばらつきを抑制するために、継続したままとする。
このような構成であっても、マンモグラフィ装置１００の撮影板１０１及び圧迫板１０２の表面温度はほぼ一定となり、医療機器の外部温度の負荷の影響を小さくすることができる。
【符号の説明】
【００２２】
１０、２０  被覆部材、
１６、２６  送風機、
１７、２７  ペルチェ素子、
１８  温度センサ、
１００  マンモグラフィ装置、
１０１  撮影板、
１０２  圧迫板。
【図１】
2020198934.tif 000003
【図２】
2020198934.tif 000004
【図３】
2020198934.tif 000005